(57)【要約】【課題】精度の良い白レベル調整を行うことができる画像読取装置を提供する。【解決手段】画像読取装置は、白レベル調整モードが指定されたとき、表面用白板及び裏面用白板を読み取り、その読み取り値を保存する第１の保存手段（ステップＳ７０２、７０３）と、基準白紙原稿を給紙する給紙手段（ステップＳ７０４）とを備える。また、基準白紙原稿を搬送パス上のローラで保持された状態で停止させる停止手段（ステップＳ７０６）と、停止された基準白紙原稿の表裏面を読み取り、その読み取り値を保存する第２の保存手段（ステップＳ７０８、７０９）とを備える。また、第１の保存手段の読み取り値と第２の保存手段の読み取り値とから白レベル補正値を算出する算出手段（ステップＳ７１１）を備える。【選択図】図７
2008061129.tif 000002
【特許請求の範囲】
【請求項１】
白レベル調整モードが指定されたとき、表面用白板及び裏面用白板を読み取り、その読み取り値を保存する第１の保存手段と、
基準白紙原稿を給紙する給紙手段と、
前記給紙手段によって給紙された前記基準白紙原稿を搬送パス上のローラで保持された状態で停止させる停止手段と、
前記停止手段によって停止された前記基準白紙原稿の表裏面を読み取り、その読み取り値を保存する第２の保存手段と、
前記第１の保存手段の前記読み取り値と前記第２の保存手段の前記読み取り値とから白レベル補正値を算出する算出手段と、
を備えることを特徴とする画像読取装置。
【請求項２】
光学系を固定して搬送される原稿の表面を読み取る第１の読取手段と、
光学系を固定して搬送される原稿の裏面を読み取る第２の読取手段と、
前記第１の読取手段の白シェーディングを行う第１の白板と、
前記第２の読取手段の白シェーディングを行う第２の白板と、
前記第１の読取手段により、前記第１の白板を読み取ったデータと、搬送される基準白紙原稿を読み取ったデータから前記基準白紙原稿用の第１の白レベル補正データを作成する第１の白レベル補正値作成手段と、
前記第２の読取手段により、前記第２の白板を読み取ったデータと、搬送される基準白紙原稿を読み取ったデータから前記基準白紙原稿用の第２の白レベル補正データを作成する第２の白レベル補正値作成手段とを備え、
搬送される前記基準白紙原稿が前記第１及び第２の読取手段の両方に跨ったときに、前記第１の白レベル補正値作成手段と第２の白レベル補正値作成手段により、前記第１及び第２の白レベル補正データを作成することを特徴とする画像読取装置。
【請求項３】
搬送される前記基準白紙原稿が前記第１及び第２の読取手段の両方に跨ったときに、前記基準白紙原稿の搬送を停止させ、前記第１の白レベル補正値作成手段と第２の白レベル補正値作成手段により、前記第１及び第２の白レベル補正データを作成することを特徴とする請求項２記載の画像読取装置。
【請求項４】
搬送される前記基準白紙原稿が前記第１及び第２の読取手段の両方に跨ったときに、前記基準白紙原稿の搬送を低速にして、前記第１の白レベル補正値作成手段と第２の白レベル補正値作成手段により、前記第１及び第２の白レベル補正データを作成することを特徴とする請求項２記載の画像読取装置。
【請求項５】
白レベル調整モードが指定されたとき、表面用白板及び裏面用白板を読み取り、その読み取り値を保存する第１の保存ステップと、
基準白紙原稿を給紙する給紙ステップと、
前記給紙ステップによって給紙された前記基準白紙原稿を搬送パス上のローラで保持された状態で停止させる停止ステップと、
前記停止ステップによって停止された前記基準白紙原稿の表裏面を読み取り、その読み取り値を保存する第２の保存ステップと、
前記第１の保存ステップの前記読み取り値と前記第２の保存ステップの前記読み取り値とから白レベル補正値を算出する算出ステップと、
を備えることを特徴とする画像読取方法。
【請求項６】
白レベル調整モードが指定されたとき、表面用白板及び裏面用白板を読み取り、その読み取り値を保存する第１の保存モジュールと、
基準白紙原稿を給紙する給紙モジュールと、
前記給紙モジュールによって給紙された前記基準白紙原稿を搬送パス上のローラで保持された状態で停止させる停止モジュールと、
前記停止モジュールによって停止された前記基準白紙原稿の表裏面を読み取り、その読み取り値を保存する第２の保存モジュールと、
前記第１の保存モジュールの前記読み取り値と前記第２の保存モジュールの前記読み取り値とから白レベル補正値を算出する算出モジュールと、
をコンピュータに実行させることを特徴とする画像読取プログラム。
【請求項７】
請求項６記載の画像読取プログラムを格納するコンピュータ読み取り可能な記憶媒体。
【発明の詳細な説明】
【技術分野】
【０００１】
本発明は、画像読取装置及び方法、並びにプログラム及び記憶媒体に関するものである。
【背景技術】
【０００２】
従来から、複数枚の原稿を自動的に順次読み取るオートドキュメントフィーダ（ＡＤＦ）内部に読取系や原稿反転機構を備える画像読取装置が知られている。この画像読取装置が両面原稿を読み取る際には、まず原稿表面を読取系で読み取り、この読み取り終了後に原稿反転機構により原稿を反転し、原稿裏面を読取系で読み取るという動作を行い、両面原稿の画像を読み取っていた。
【０００３】
しかし、この装置構成では、原稿を反転する時間は画像読取装置としてのデッドタイムとなるため、読み取りパフォーマンスが低下し、また、原稿を反転させるために原稿にダメージを与えることが少なくなかった。
【０００４】
この問題に鑑み、近年ＡＤＦ内部に読取系を装備し、１回の原稿搬送動作によって表面画像と裏面画像を読み取る１パス両面画像読取装置が提案されている。このような画像読取装置の例としては、図１０に示すような構成のものが提案されている。
【０００５】
図１０はこのような画像読取装置の概略説明図であり、原稿の両面の読み取り位置と搬送経路のレイアウトを主に示している。この画像読取装置は、表面（第１面）を読み取る第１の読み取りセンサ（ＣＣＤ１００１）と裏面（第２面）を読み取る第２の読み取りセンサ（コンタクトイメージセンサ１００２）とを備える。
【０００６】
そして、不図示の原稿トレイ上に置かれた原稿を排紙側に送る途中で、第１及び第２の読み取りセンサ１００１、１００２によって両面を１回の搬送で読み取る機構になっている。また、原稿読み取り時には、光源により原稿を照明して原稿画像をセンサにより読み取るので、光源の光量むらやセンサの感度むら等によって誤差が生じる。この誤差を補正するためシェーディング補正を行っている。
【０００７】
シェーディング補正する場合には、白色基準となる部材が用いられている。上記のような両面原稿を読み取る装置においては、ＣＣＤでは、基準白色板１００３がシェーディング補正時の白色部材として用いられている。また、コンタクトイメージセンサでは、第２の読み取りセンサと対向するように白色板１００４が設けられ、シェーディング補正時の白色部材として用いられている。これらの白色部材によりシェーディング補正を行っている。
【０００８】
また、従来の画像読取装置では、原稿と基準白色板の白の濃度を合わせこむ白レベル調整が行われている。白レベル調整とは、シェーディング後の基準白板の白色度と基準白紙原稿をそれぞれ読み取り、その読み取り値を元に補正値を求めるものである。
【０００９】
具体的には、基準白色板の読み取り値をＷｂ、基準白紙原稿の読み取り値をＷｐとして、補正値ＣはＣ=α＊Ｗｂ／Ｗｐを求める。ただし、αは補正係数である。そして、実際の読み取り時には原稿の読み取りデータＸに対して、画素毎にＸ′=Ｃ×Ｘを実際の読み取り値として、画像出力している。
【００１０】
このような白レベル調整を行うものとして、ＡＤＦで搬送される原稿を読み取り、第１と第２の読取部を変更して、それぞれで読み取ったデータを基に、白レベル補正値を作成する技術が提案されている（特許文献１参照）。
【特許文献１】特開２００５−０２０２３９号公報
【発明の開示】
【発明が解決しようとする課題】
【００１１】
しかし、このような従来の読取装置では、搬送される基準白紙原稿に対して表面及び裏面の読み取り白レベル調整を行う際には、以下の問題が生じる。
【００１２】
即ち、搬送原稿サイズや原稿の読み取り位置によっては、原稿のローラへの突入や、原稿のローラからの抜けによって原稿に振動が伝わり（突脱ショック）、この結果、読み取り画像に影響を及ぼしてしまい、正常な白レベルが得られないという問題があった。
【００１３】
本発明の目的は、精度の良い白レベル調整を行うことができる画像読取装置及び方法、並びにプログラム及び記憶媒体を提供することにある。
【課題を解決するための手段】
【００１４】
上記目的を達成するために、請求項１記載の画像読取装置は、白レベル調整モードが指定されたとき、表面用白板及び裏面用白板を読み取り、その読み取り値を保存する第１の保存手段と、基準白紙原稿を給紙する給紙手段と、前記給紙手段によって給紙された前記基準白紙原稿を搬送パス上のローラで保持された状態で停止させる停止手段と、前記停止手段によって停止された前記基準白紙原稿の表裏面を読み取り、その読み取り値を保存する第２の保存手段と、前記第１の保存手段の前記読み取り値と前記第２の保存手段の前記読み取り値とから白レベル補正値を算出する算出手段とを備えることを特徴とする。
【００１５】
請求項２記載の画像読取装置は、光学系を固定して搬送される原稿の表面を読み取る第１の読取手段と、光学系を固定して搬送される原稿の裏面を読み取る第２の読取手段と、前記第１の読取手段と第２の読取手段と同一搬送経路上に存在し、前記第１の読取手段の白シェーディングを行う第１の白板と、前記第２の読取手段の白シェーディングを行う第２の白板と、前記第１の読取手段により、前記第１の白板を読み取ったデータと、搬送される基準白紙原稿を読み取ったデータから前記基準白紙原稿用の第１の白レベル補正データを作成する第１の白レベル補正値作成手段と、前記第２の読取手段により、前記第２の白板を読み取ったデータと、搬送される基準白紙原稿を読み取ったデータから前記基準白紙原稿用の第２の白レベル補正データを作成する第２の白レベル補正値作成手段とを備え、搬送される前記基準白紙原稿が前記第１及び第２の読取手段の両方に跨ったときに、前記第１の白レベル補正値作成手段と第２の白レベル補正値作成手段により、前記第１及び第２の白レベル補正データを作成することを特徴とする。
【００１６】
請求項５記載の画像読取方法は、白レベル調整モードが指定されたとき、表面用白板及び裏面用白板を読み取り、その読み取り値を保存する第１の保存ステップと、基準白紙原稿を給紙する給紙ステップと、前記給紙ステップによって給紙された前記基準白紙原稿を搬送パス上のローラで保持された状態で停止させる停止ステップと、前記停止ステップによって停止された前記基準白紙原稿の表裏面を読み取り、その読み取り値を保存する第２の保存ステップと、前記第１の保存ステップの前記読み取り値と前記第２の保存ステップの前記読み取り値とから白レベル補正値を算出する算出ステップとを備えることを特徴とする。
【００１７】
請求項６記載の画像読取プログラムは、白レベル調整モードが指定されたとき、表面用白板及び裏面用白板を読み取り、その読み取り値を保存する第１の保存モジュールと、基準白紙原稿を給紙する給紙モジュールと、前記給紙モジュールによって給紙された前記基準白紙原稿を搬送パス上のローラで保持された状態で停止させる停止モジュールと、前記停止モジュールによって停止された前記基準白紙原稿の表裏面を読み取り、その読み取り値を保存する第２の保存モジュールと、前記第１の保存モジュールの前記読み取り値と前記第２の保存モジュールの前記読み取り値とから白レベル補正値を算出する算出モジュールとをコンピュータに実行させることを特徴とする。
【００１８】
請求項７記載のコンピュータ読み取り可能な記憶媒体は、請求項６記載の画像読取プログラムを格納する。
【発明の効果】
【００１９】
本発明の画像読取装置は、白レベル調整モードが指定されたとき、表面用白板及び裏面用白板を読み取り、その読み取り値を保存する第１の保存手段と、基準白紙原稿を給紙する給紙手段とを備える。また、基準白紙原稿を搬送パス上のローラで保持された状態で停止させる停止手段と、停止された基準白紙原稿の表裏面を読み取り、その読み取り値を保存する第２の保存手段とを備える。また、第１の保存手段の読み取り値と第２の保存手段の読み取り値とから白レベル補正値を算出する算出手段を備える。
【００２０】
このように、基準白紙原稿を搬送パス上のローラで保持された状態で停止させて、表裏面を読み取るようにしているので、搬送原稿のローラによる突脱ショックを避け、精度の良い白レベル調整を行うことができる。
【発明を実施するための最良の形態】
【００２１】
以下、本発明の実施の形態を図面を参照しながら詳細に説明する。
【００２２】
図１は、本発明の実施の形態に係る画像読取装置の構成を概略的に示す図である。
【００２３】
図１において、画像読取装置は、自動原稿送り装置１００と画像読取装置本体２００とから構成される。以下、その構成を動作と併せて説明する。
【００２４】
自動原稿送り装置１００は、図１に示すように、少なくとも１枚以上のシートで構成される原稿束Ｓを載置する原稿トレイ３０と、原稿の搬送開始前に、原稿トレイ３０より突出し、原稿束Ｓの下流への進出を規制する分離パッド２１と、給紙ローラ１とを有する。給紙ローラ１は、原稿トレイ３０に載置された原稿束Ｓの原稿面に落下し、回転する。
【００２５】
これにより、原稿束Ｓの最上面の原稿が給紙される。給紙ローラ１によって給送された原稿は分離ローラ２と分離パッド２１の作用によって１枚に分離される。この分離は周知のリタード分離技術によって実現されている。
【００２６】
分離ローラ２と分離パッド２１によって分離された原稿は、搬送ローラ対３により、レジストローラ４へ搬送され、レジストローラ４に突き当てられる。これにより、原稿はループ状に形成され、原稿の搬送における斜行が解消される。
【００２７】
レジストローラ４の下流側には、レジストローラ４を通過した原稿を流し読みガラス２０１方向へ搬送する給紙パスが配置されている。
【００２８】
給紙パスに送られた原稿は、大ローラ７及び給送ローラ５により流し読みガラス２０１上に送られる。ここで、大ローラ７は、流し読みガラス２０１に接触する。大ローラ７により給送された原稿は、搬送ローラ６を通過し、ローラ１６と移動ガラス１８の間を移動して、排紙フラッパ２０及び排紙ローラ８を介して原稿排紙トレイ３１へ排出される。このとき、原稿裏面読取部１７にて原稿の裏面画像を読み取ることが可能である。排紙ローラ８の手前に排紙センサ１３がある。
【００２９】
一方で、排紙ローラ８に原稿を噛ませた状態で、排紙ローラ８を逆転させて排紙フラッパ２０を切り替えることにより、反転パス１９へ原稿を移動させる。移動した原稿を反転パス１９からレジストローラ４へ突き当て、再度原稿がループ状に形成されることによって、原稿の搬送における斜行を解消する。その後、給送ローラ５及び大ローラ７により再び原稿を流し読みガラス２０１へ移動させることで、原稿の裏面を流し読みガラス２０１で読み取ることが可能である。
【００３０】
また、原稿トレイ３０には、それに載置された原稿束の副走査方向にスライド可能なガイド規制板（図示せず）が設けられているとともに、このガイド規制板に連動して原稿幅を検出する原稿幅検知センサ（図示せず）が設けられている。
【００３１】
上記原稿幅検知センサとレジ前センサ１１との組み合わせにより、原稿トレイ３０上に載置された原稿束の原稿サイズが判別可能となる。また、搬送パス内に設けられた原稿長検知センサ（図示せず）により、搬送中の原稿の先端検知から後端検知までの搬送距離から原稿長を検出することも可能であり、検知した原稿長と上記原稿幅検知センサとの組み合わせからも、原稿サイズが判別可能である。
【００３２】
画像読取装置本体２００は、原稿に記録された画像情報を光学的に読み取り、光電変換して画像データとして入力するものである。画像読取装置本体２００は、流し読みガラス２０１、プラテンガラス２０２、ランプ２０３とミラー２０４を有するスキャナユニット２０９、ミラー２０５、２０６、レンズ２０７、ＣＣＤ２０８等を有している。また、表面白板２１０は、シェーディングによる白レベルの基準データを作成するためのものである。
【００３３】
図２は、図１の画像読取装置の機能ブロックを概略的に示す図である。
【００３４】
自動原稿送り装置１００は、ＣＰＵ３００、ＲＯＭ３０１、ＲＡＭ３０２その他を備えている。ＲＯＭ３０１には、制御用プログラムが格納されており、ＲＡＭ３０２には、入力データや作業用データが格納されている。また、出力ポートには、各種搬送用のローラを駆動するモータ３０３、ソレノイド３０６、クラッチ３０７が接続されており、入力ポートには、図示しない各種センサ３０４がそれぞれ接続されている。
【００３５】
ＣＰＵ３００は、これにバスを介して接続されたＲＯＭ３０１に格納された制御プログラムに従って紙搬送を制御する。ＣＰＵ３００は、画像読取装置本体２００のＣＰＵ３２１とライン３５１を介してシリアル通信を行い、画像読取装置本体２００との間で制御データの授受を行うようになっている。また、原稿画像データの先端の基準となる画先信号も通信ラインを通して画像読取装置本体２００に通知される。
【００３６】
また、図１の原稿裏面読取部１７には、ランプ３０５及び受光センサ（ＣＩＳ）３０８が接続されており、読み取った画像が画像処理部３０９へ転送される。
【００３７】
画像読取装置本体２００は、ＣＰＵ３２１、ＲＯＭ３２２、ＲＡＭ３２３、紙間補正を行う紙間補正部３２４、画像処理部３２５その他を備える。モータドライブ部３２６は、光学系駆動モータを駆動させるためのドライバ回路である。また、ランプ３２７、表面画像読取部（ＣＣＤ）３２８が接続されている。
【００３８】
ＣＰＵ３２１は、モータドライブ部３２６及び表面画像読取部３２８などを用いて、画像読取装置本体２００の制御を行う。レンズ２０７でＣＣＤ２０８上に結像された画像信号はデジタル画像データに変換され、画像処理部３２５で各種の画像処理を行い、画像メモリ３２９に書き込まれる。
【００３９】
また、自動原稿送り装置１００内の画像処理部３０９で処理した画像も、画像通信ライン３５４を通して、画像メモリ３２９に保持される。画像メモリ３２９に書き込まれたデータは順次コントローラＩＦ部３５３を通してコントローラ部４００へ送信される。
【００４０】
更に、原稿画像データの先端の基準となる画先信号については、ＣＰＵ３２１でタイミングを取って、コントローラＩＦ部３５２を通してコントローラ部４００へ通知される。自動原稿送り装置１００からの通信ラインで通知される画先信号についても同様に、画像読取装置本体２００のＣＰＵ３２１でタイミングを取って、コントローラＩＦ部３５２を通してコントローラ部４００へ通知される。
【００４１】
コントローラ部４００は、制御回路４０１、増幅回路４０２、Ａ／Ｄ変換器４０３、補正回路４０４、画像メモリ４０５を有している。
【００４２】
ＣＣＤ２０８からは、原稿画像を走査する過程で、読み取りの１ラインごとにアナログの画像信号が出力され、それらは増幅回路４０２により増幅された後、Ａ／Ｄ変換器４０３により８ビットのデジタル信号に変換される。
【００４３】
そして、補正回路４０４は、画像信号に対して、紙間補正部３２４で作成された紙間補正データに基づいた補正処理を行う。その後、画像メモリ４０５に書き込まれていくことになる。以上の処理を原稿画像領域分行い、原稿の読み取り画像を形成する。
【００４４】
尚、本実施の形態では、自動原稿送り装置１００の原稿裏面読取部１７にＣＩＳ、画像読取装置本体２００の表面画像読取部にＣＣＤを使用しているが、画像読み取りのセンサであれば何を使ってもよい。
【００４５】
次に、片面に印刷がなされた原稿（片面原稿）を読み取る際、スキャナユニット２０９を副走査方向に移動させて画像を読み取る原稿読取モード（原稿固定読みモード）の動作について説明する。
【００４６】
図３（ａ）乃至（ｄ）は、図１の画像読取装置による原稿固定読み時におけるスキャナユニットの状態を模式的に示す図である。
【００４７】
画像読取装置本体２００に画像読取開始の指示がされると、スキャナユニット２０９は、表面白板２１０の直下に移動し、主走査方向の白レベル基準及び、主走査方向の配光補正を行う（ａ）。スキャナユニット２０９は、自身を加速させるのに十分な距離が保持された（ｂ）の位置へ移動する。
【００４８】
その後、スキャナユニット２０９は、図の矢印Ａの方向（副走査方向）に移動し、原稿をランプ２０３にて照射しながら、反射光をＣＣＤ２０８にて読み取る（ｃ）。原稿の右端部まで読み取りが終了した後、ランプ２０３を消灯し、図の矢印Ｂの方向へスキャナユニット２０９を移動し（ｄ）、（ａ）の状態に戻る。
【００４９】
次に、原稿（片面及び両面原稿）を読み取る際、スキャナユニット２０９を固定させて原稿を移動させることにより画像を読み取る原稿読取モード（原稿流し読みモード）の動作について説明する。
【００５０】
図４（ａ）乃至（ｇ）は、図１の画像読取装置による原稿流し読み時におけるスキャナユニットの状態を模式的に示す図である。
【００５１】
自動原稿送り装置１００に原稿の給送開始が指示されると、スキャナユニット２０９は表面白板２１０の直下に移動し、シェーディングを行う。ここで、原稿裏面読取部１７の図示しない移動ガラス上の白基準板を用いて、同時にシェーディングを行う（ａ）。
【００５２】
更に、給紙ローラ１が原稿上面に落下し、分離ローラ２、搬送ローラ対３の作用により、原稿束Ｓからその最上面にある１枚の原稿だけが分離され、レジストローラ４まで給送される。このときスキャナユニット２０９は、Ｒ点の直下へ移動する（ｂ）。
【００５３】
レジストローラ４が回転すると、原稿は給紙パスを経由して流し読みガラス２０１上へと導かれる（ｃ）。原稿は、図中のＲ上を所定の速度で搬送され、原稿の画像はＲ点の下部に待機しているスキャナユニット２０９によって読み取られる。この際、原稿の先端がＲ点を通過するタイミングで、読み取り開始の信号を画像読取装置本体２００に通知する。
【００５４】
両面同時読みモードの場合、原稿表面をスキャナユニット２０９で読取している最中に、原稿裏面読取部１７にて原稿の裏面画像の読取を行う（ｄ）、（ｅ）。
【００５５】
原稿裏面読取部１７が裏面の画像後端まで読み終わると（ｆ）、読み取られた原稿はそのまま図の右方向へ搬送され、排紙ローラ８から自動原稿送り装置１００の機外へ排出される。
【００５６】
また、Ｒ点上をＮ枚目の原稿が読み取られている間に、原稿後端が搬送ローラ対３を通過すると、原稿トレイ３０上に載置されている原稿束Ｓから（Ｎ＋１）枚目の原稿の給送が開始される。この原稿は、同様に、流し読み２０１へ搬送され、この原稿上の画像の読取動作が行われる。
【００５７】
このとき、原稿がレジストローラ４に突き当てられた状態で、レジストローラ４の起動タイミングを操作することにより、Ｒ点上で読み取り中の前原稿との間隔が適時調整され、流し読みガラス２０１上では、所定の間隔で原稿が搬送される。
【００５８】
原稿の読み込み及び排紙が全て完了すると、図４（ｇ）に示すように、スキャナユニット２０９を矢印の方向に移動させる。
【００５９】
次に、原稿反転流し読みモードにおいて、原稿の表裏を反転させる動作について説明する。
【００６０】
図５（ａ）乃至（ｆ）は、図１の画像読取装置による原稿反転時におけるスキャナユニットの状態を模式的に示す図である。
【００６１】
図４の（ａ）乃至（ｇ）の一連の動作により（ただし、Ｎ枚目の原稿を読んでいる最中には、（Ｎ＋１）枚目の原稿の給送を行わず、かつ、原稿裏面読取部１７を使用しないものとする）、原稿を排紙部に噛ませた状態で停止させる。（ａ）。
【００６２】
排紙ローラ８を排紙と逆の方向に回転させることにより、（ｂ）の矢印の方向へ原稿を移動させる。このとき、原稿後端が排紙センサ１３で検知されたら、排紙ローラ８を停止させる。
【００６３】
原稿裏面をＲ点上にて読み取りながら搬送し（ｃ）、その後、排紙ローラ８に再度原稿を噛ませた状態で停止させる（ｄ）。更に、排紙ローラ８を逆転させて（ｅ）の矢印の方向に原稿を移動させ、原稿の表裏を反転させる。原稿反転後、原稿トレイ３０上の次の原稿の分離を開始する（ｆ）。
【００６４】
次に、本発明に関わる白レベル調整方法について説明する。
【００６５】
白レベル調整を行うためには、シェーディングを行う白色板を読み取る必要がある。まず、表面読み取りに関する白色板の読み取りについて説明する。表面読み取り用の白色板の読み取りは、図１における表面白板２１０を読み取ることによって行われる。
【００６６】
次に、原稿裏面読取部１７の白色板の読み取りについて説明する。
【００６７】
図６は、図１における原稿裏面読取部の拡大図である。
【００６８】
図６において、原稿裏面読取部１７は、裏面読み取りを行うＣＩＳユニット１７１。ＣＩＳユニット１７１により読み取られる原稿が接するコンタクトガラス１７２、原稿裏面読取部１７のシェーディング用の裏面白板１７３、ガラス移動モータ１７４を備える。裏面白板１７３はコンタクトガラス１７２の一端に取り付けられている。
【００６９】
シェーディング時には図６（ｂ）のように、コンタクトガラス１７２に取り付けられた裏面白板１７３を、固定されたＣＩＳユニット１７１で読み取り可能な位置にコンタクトガラス１７２を移動させる。そして通常の読み取り時には図７（ａ）のように、元の位置にコンタクトガラス１７２を移動させて読み取りを行う。
【００７０】
そして、それぞれの白板を読み取った値について、表面白板２１０の読み取り値をＷｂ１、裏面白板１７３の読み取り値をＷｂ２とする。
【００７１】
図７は、図１の画像読取装置によって実行される白レベル調整処理の第１の例の手順を示すフローチャートである。
【００７２】
本処理は、図２におけるコントローラ部４００によって実行される。
【００７３】
図７において、白レベル調整モードが指定されたときに（ステップＳ７０１でＹＥＳ）、まず前述のように、表面、裏面それぞれの白板２１０、１７３を読み取り、読み取り値（Ｗｂ１、Ｗｂ２）を保存する（ステップＳ７０２、ステップＳ７０３）（第１の保存手段）。
【００７４】
そして、原稿トレイ３０に積載された基準白紙原稿を１枚給紙し（ステップＳ７０４）（給紙手段）、先端が排紙センサ１３に到達するまで搬送する。基準白紙原稿はＡ３サイズの用紙とする。そして、図９に示すように、基準白紙原稿が排紙センサ１３に到達したときに（ステップＳ７０５でＹＥＳ）、ステップＳ７０６に示すように原稿の搬送を停止する（停止手段）。
【００７５】
原稿が停止した後（ステップＳ７０７でＹＥＳ）、表面読取部Ｒ、原稿裏面読取部１７において、それぞれ基準白紙原稿を読み取る（ステップＳ７０８、ステップＳ７０９）（第２の保存手段）。このとき、基準白紙原稿はＡ３サイズであるので、原稿後端はレジストローラ４を抜けていない。
【００７６】
基準白紙原稿の読み取りは、表面読取部Ｒ、原稿裏面読取部１７それぞれが、原稿の主走査全域（７５００画素）を読み取り、その平均を取るものである。このようにすると、基準白紙原稿の読み取り時に原稿がすべて搬送パス上のローラで保持された状態で停止しているので、搬送による突脱ショックがなくなり、基準白紙原稿の白色度を正しく読み取ることができる。
【００７７】
このときの読み取り値を表面読み取り値Ｗｐ１、裏面読み取り値Ｗｐ２とする。基準白紙原稿は読み終わった後に排出する（ステップＳ７１０）。そして、基準白紙原稿読み取り値と白板読み取り値から、それぞれの白レベル補正値を求めて（ステップＳ７１１）（算出手段）、処理を終了する。
【００７８】
表面読取部Ｒにおける白レベル補正値Ｃ１は、Ｃ１＝α×Ｗｂ１／Ｗｐ１、原稿裏面読取部１７における白レベル補正値Ｃ２は、Ｃ２＝α×Ｗｂ２／Ｗｐ２となる。ただしαは補正係数であり、α＝１０２３とする。
【００７９】
図８は、図１の画像読取装置によって実行される白レベル調整処理の第２の例の手順を示すフローチャートである。
【００８０】
本処理は、図２におけるコントローラ部４００によって実行される。
【００８１】
図８において、白レベル調整モードが指定されたときに（ステップＳ８０１でＹＥＳ）、まず前述のように、表面、裏面それぞれの白板２１０、１７３を読み取り、読み取り値（Ｗｂ１、Ｗｂ２）を保存する（ステップＳ８０２、ステップＳ８０３）。
【００８２】
そして、原稿トレイ３０に積載された基準白紙原稿を１枚給紙し（ステップＳ８０４）、先端が排紙センサ１３に到達するまで搬送する。基準白紙原稿はＡ３サイズの用紙とする。そして、図９に示すように、基準白紙原稿が排紙センサ１３に到達したときに（ステップＳ８０５でＹＥＳ）、ステップＳ８０６に示すように原稿搬送速度を５０ｍｍ／秒まで減速する。
【００８３】
原稿が５０ｍｍ／秒まで減速した後（ステップＳ８０７でＹＥＳ）、表面読取部Ｒ、原稿裏面読取部１７において、それぞれ基準白紙原稿を読み取る（ステップＳ８０８、ステップＳ８０９）。このとき、基準白紙原稿はＡ３サイズであるので、原稿後端はレジストローラ４を抜けていない。
【００８４】
基準白紙原稿の読み取りは、表面読取部Ｒ、原稿裏面読取部１７それぞれが、原稿の主走査全域（７５００画素）を副走査２５６ライン区間分読み取るまで行う（ステップＳ８１０）。そして基準白紙原稿読み取り値は２５６ラインの平均を取り、それをＷｐ１、Ｗｐ２として保存する（ステップＳ８１１、ステップＳ８１２）。
【００８５】
このようにすると、基準白紙原稿の読み取り時に原稿がすべてローラで保持された状態で搬送される。従って、図７の第１の処理例と同様に、搬送による突脱ショックがなくなり、加えて、ガラス上の汚れの影響を受けることもなく、基準白紙原稿の白色度を正しく読み取ることができる。
【００８６】
基準白紙原稿は読み終わった後に排出する（ステップＳ８１３）。そして、それぞれの白レベル補正値を算出して（ステップＳ８１４）、処理を終了する。補正値の算出は、表面読み取り値Ｗｐ１、裏面読み取り値Ｗｐ２として、図７の第１の処理例と同様に行う。
また、本発明の目的は、実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出して実行することによっても達成される。
【００８７】
この場合、記憶媒体から読み出されたプログラムコード自体が前述した実施の形態の機能を実現することになり、そのプログラムコード及び該プログラムコードを記憶した記憶媒体は本発明を構成することになる。
【００８８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００８９】
また、コンピュータが読み出したプログラムコードを実行することにより、上記実施の形態の機能が実現されるだけでなく、そのプログラムコードの指示に基づき、コンピュータ上で稼動しているＯステップＳ（オペレーティングシステム）等が実際の処理の一部または全部を行い、その処理によって前述した実施の形態の機能が実現される場合も含まれる。
【００９０】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００９１】
【図１】本発明の実施の形態に係る画像読取装置の構成を概略的に示す図である。
【図２】図１の画像読取装置の機能ブロックを概略的に示す図である。
【図３】図１の画像読取装置による原稿固定読み時におけるスキャナユニットの状態を模式的に示す図である。
【図４ａ】図１の画像読取装置による原稿流し読み時におけるスキャナユニットの状態を模式的に示す図である。
【図４ｂ】図１の画像読取装置による原稿流し読み時におけるスキャナユニットの状態を模式的に示す図である。
【図４ｃ】図１の画像読取装置による原稿流し読み時におけるスキャナユニットの状態を模式的に示す図である。
【図５ａ】図１の画像読取装置による原稿反転時におけるスキャナユニットの状態を模式的に示す図である。
【図５ｂ】図１の画像読取装置による原稿反転時におけるスキャナユニットの状態を模式的に示す図である。
【図６】図１における原稿裏面読取部の拡大図である。
【図７】図１の画像読取装置によって実行される白レベル調整処理の第１の例の手順を示すフローチャートである。
【図８】図１の画像読取装置によって実行される白レベル調整処理の第２の例の手順を示すフローチャートである。
【図９】図７、図８の白レベル調整処理の制御開始タイミングを説明する図である。
【図１０】従来例に係る画像読取装置の構成を概略的に示す図である。
【符号の説明】
【００９２】
１７  原稿裏面読取部
Ｒ  表面読取部
１７３  白板（表面用白板）
２０１  流し読みガラス
２０２  プラテンガラス
２０９  スキャナユニット
２１０  白板（裏面用白板）
３２５  画像処理部（白レベル補正値作成手段）
【図１】
2008061129.tif 000003
【図２】
2008061129.tif 000004
【図３】
2008061129.tif 000005
【図４ａ】
2008061129.tif 000006
【図４ｂ】
2008061129.tif 000007
【図４ｃ】
2008061129.tif 000008
【図５ａ】
2008061129.tif 000009
【図５ｂ】
2008061129.tif 000010
【図６】
2008061129.tif 000011
【図７】
2008061129.tif 000012
【図８】
2008061129.tif 000013
【図９】
2008061129.tif 000014
【図１０】
2008061129.tif 000015